(57)【特許請求の範囲】
【請求項１】
スプレーガンの制御装置であって、
本体を含み、前記本体は、管部と、前記管部に延設される把持部を含み、前記把持部に操作部材が枢設され、操作者は、前記本体の前記把持部に沿って前記操作部材を把持及び押圧し、
前記管部にはスプレーヘッドが組み付けられ、前記本体には流路が包囲及び設置されており、前記流路は給水部及び延伸する吐水部を有し、前記給水部と前記吐水部との接合箇所に制御アセンブリが設けられており、前記制御アセンブリは、前記流路内の水の流量又は流動の開閉を調整するために用いられ、前記制御アセンブリは、バルブステムとバネ及び位置決め部を含み、前記位置決め部は前記把持部における前記管部に近接する位置に設けられ、前記位置決め部の表面には、順に配列される複数の歯部が設けられており、
前記操作部材は、一端が前記把持部の接続端の位置に枢設されており、前記接続端を支軸として圧縮及び展開するよう操作可能であり、
前記操作部材における枢設箇所の近傍には、移動可能な安全スイッチが設けられており、前記安全スイッチは、前記制御アセンブリの前記位置決め部に接触及び接合するよう配置され、前記位置決め部は前記安全スイッチの位置に対応しており、
前記安全スイッチには押圧部が設けられており、前記押圧部には支軸部が延設されており、前記支軸部は前記操作部材の溝内に枢結され、
前記押圧部は、前記支軸部を中心線として上端と下端に分割され、
前記支軸にはロック部が延設されており、前記ロック部の基端にフック部が形成され、
前記フック部は、前記位置決め部における選択された前記歯部の１つと接合可能であり、前記安全スイッチの前記フック部が前記位置決め部における選択された前記歯部と接合する際、或いは、前記歯部から離脱する際には、前記操作者が指で前記押圧部の前記上端又は前記下端を押圧し、前記押圧部の可動経路は下方且つ内側、或いは上方且つ内側となり、基本的に、両端から延伸する上端と下端が、前記支軸部を中心軸としてシーソーと類似した移動形態をなし、前記安全スイッチは、水流の開閉及び水量の大きさと段階的ロックを操作するためのユニットとしての役割を果たすスプレーガンの制御装置。
【請求項２】
前記位置決め部は第１の面及び第２の面を有し、前記歯部は前記位置決め部の前記第１の面に設けられる請求項１に記載のスプレーガンの制御装置。
【請求項３】
前記歯部は、前記位置決め部の前記第２の面に設置可能である請求項２に記載のスプレーガンの制御装置。
【請求項４】
前記フック部は下方を向いている請求項１に記載のスプレーガンの制御装置。
【請求項５】
前記フック部は上方を向いている請求項１に記載のスプレーガンの制御装置。
【請求項６】
本体及び操作部材を含み、前記本体は、管部と、前記管部に延設される把持部を含み、
前記管部と前記把持部との接続端に、制御アセンブリが包囲及び設置されており、
前記制御アセンブリは、スプレーガンの制御装置を通過する水の流動に関連する制御をスプレーガンの制御装置が実行可能となるよう配置され、
前記制御アセンブリは位置決め部を含み、前記位置決め部は、前記把持部における前記管部に近接する位置に設けられ、前記位置決め部の表面には、列をなすよう複数の歯部が設けられており、
前記操作部材は前記把持部に枢設され、前記操作部材は、第１端と、延伸する第２端を有し、前記操作部材の前記第２端の軸支点が前記把持部における前記接続端の位置に存在し、前記操作部材は前記軸支点を支軸として圧縮及び展開するよう操作可能であるスプレーガンの制御装置において、
前記操作部材における前記第２端に近接する箇所には、移動可能な安全スイッチが設けられており、前記安全スイッチは押圧部を含み、前記押圧部には支軸部が延設されており、前記支軸部は前記操作部材の溝内に枢結され、
前記押圧部は、前記支軸部を中心線として上端と下端に分割され、
前記支軸にはロック部が延設されており、前記ロック部は延伸しており、弾性を有するとともに、基端にフック部が形成されており、前記フック部は前記位置決め部に対応しており、
前記押圧部の可動経路は下方且つ内側、或いは上方且つ内側となり、基本的に、両端から延伸する上端と下端が、前記支軸部を中心軸としてシーソーと類似した移動形態をなすことで、前記安全スイッチは、水流の開閉及び水量の大きさと段階的ロックを操作するためのユニットとしての役割を果たすことを特徴とするスプレーガンの制御装置。
【請求項７】
前記位置決め部は、前記把持部の前記接続端に近接する位置に設けられ、前記位置決め部は第１の面及び第２の面を有し、前記歯部は前記位置決め部の前記第１の面に設けられる請求項６に記載のスプレーガンの制御装置。
【請求項８】
前記歯部は、前記位置決め部の第２の面に設置可能である請求項６に記載のスプレーガンの制御装置。
【請求項９】
前記フック部は下方を向いている請求項６に記載のスプレーガンの制御装置。
【請求項１０】
前記フック部は上方を向いている請求項６に記載のスプレーガンの制御装置。
【請求項１１】
本体及び操作部材を含み、前記本体は、管部と、前記管部に延設される把持部を含み、
前記管部と前記把持部との接続端に制御アセンブリが包囲及び設置されており、前記制御アセンブリは、スプレーガンの制御装置を通過する水の流動に関連する制御をスプレーガンの制御装置が実行可能となるよう配置されるスプレーガンの制御装置において、
前記制御アセンブリは位置決め部を含み、前記位置決め部は前記把持部における前記管部に近接する位置に設けられ、前記位置決め部の表面には列をなすよう複数の歯部が設けられており、前記操作部材は、軸支点が前記把持部における前記接続端の位置に存在し、前記軸支点を支軸として圧縮及び展開するよう操作可能であり、
前記操作部材における前記軸支点に近接する箇所には移動可能な安全スイッチが設けられており、前記安全スイッチは押圧部を含み、前記押圧部には支軸部が延設されており、前記支軸部は前記操作部材の溝内に枢結され、
前記支軸にはロック部が延設されており、前記ロック部は延伸しており、弾性を有するとともに、基端にフック部が形成されており、前記フック部は前記位置決め部に対応しており、
前記押圧部は、前記支軸部を中心軸として、可動経路が下方且つ内側、或いは上方且つ内側となるよう操作され、シーソーと類似した移動操作形態をなし、
前記フック部は、前記位置決め部における選択された前記歯部の１つと接合可能であり、前記安全スイッチの前記フック部が、前記位置決め部における選択された前記歯部に対し接離することで、前記安全スイッチは、水流の開閉及び水量の大きさの段階的ロックを操作するためのユニットとしての役割を果たすことを特徴とするスプレーガンの制御装置。
【請求項１２】
前記位置決め部は、前記把持部の前記接続端に近接する位置に設けられ、前記位置決め部は第１の面及び第２の面を有し、前記歯部は前記位置決め部の前記第１の面に設けられる請求項１１に記載のスプレーガンの制御装置。
【請求項１３】
前記歯部は、前記位置決め部の第２の面に設置可能である請求項１１に記載のスプレーガンの制御装置。
【請求項１４】
前記フック部は下方を向いている請求項１１に記載のスプレーガンの制御装置。
【請求項１５】
前記フック部は上方を向いている請求項１１に記載のスプレーガンの制御装置。
【請求項１６】
前記フック部は少なくとも１つである請求項１１に記載のスプレーガンの制御装置。
【発明の詳細な説明】
【技術分野】
【０００１】
本発明は、スプレーガンの制御装置に関し、特に、操作部材と安全スイッチを押圧することで、手軽にロック状態とロック解除状態を切り替え可能であるとともに、水量の大きさを制御する段階的ロックが可能なものに関する。
【背景技術】
【０００２】
散水装置としては、特許文献１が開示するような液体スプレーガンが知られている。当該液体スプレーガンは、本体と操作部材を含む。当該本体は、ハウジングのハンドル部に沿って操作者により把持され、この把持可能な部分をハウジングのハンドル部として規定可能である。当該ハンドル部は、本体の給水口部から吐水口の間まで延設されている。当該操作部材の一端は本体の給水口部に近接して枢結されており、当該操作部材には、操作部材を供給位置にロックするためのボタンが設置されている。また、当該ハウジングの給水口部から吐水口まで延伸する接続箇所には経路が設けられており、当該経路に弁がスライド可能に収容されている。当該弁はバネによって付勢され、起動することで動作可能である。操作レバーは前記弁の閉止位置と最大開放位置の間で回動可能であり、前記装置は、ボタンによって、操作レバーが最大開放位置時のロック及び最小位置時のロックを可能とする。
【０００３】
特許文献２は、本体と操作部材を含む。当該本体は、当該本体のハンドル部に沿って操作者により把持され、この把持可能な部分を本体のハンドル部として規定可能である。当該ハンドル部は、本体の吐水口部と給水口部の間に設置可能であり、当該操作部材の一端が本体の給水口部に近接して枢結される。当該操作部材には、吐水口部と給水口部との接続箇所に近接してロックアセンブリが設けられている。使用者は、当該ロック部材によって当該操作部材を所望の位置にロック可能であり、操作部材を簡単に圧縮することで、操作部材の制動機能を容易にロック又は解除可能である。
【０００４】
上記２つの既知の特許文献では、いずれも操作部材の一端が本体の給水口部に近接して枢結されている。また、当該操作部材には、吐水口部と給水口部との接続箇所に近接してロックアセンブリが設けられている。しかし、当該ロックアセンブリは操作部材の制動機能を容易にロック又は解除可能とするものであり、経路の水流の開閉という単一的な機能を提供できるにすぎない。
【先行技術文献】
【特許文献】
【０００５】
【特許文献１】米国特許第７４３４７５０号明細書
【特許文献２】欧州特許第３１１６６５７号明細書
【発明の概要】
【発明が解決しようとする課題】
【０００６】
そこで、本発明は、改良を施したロック部材の構造を提供する。主たる目的は、実施例において、片手で制御できる操作部材を提供可能とするとともに、当該操作部材を所望の位置にロック可能とすることである。また、水量の大きさを制御可能な段階的ロック機能を更に提供する。本発明で設計する操作部材による人間工学に基づいた操作制御によれば、より省力化した複数の機能を提供可能である。
【課題を解決するための手段】
【０００７】
本発明はスプレーガンを提供する。当該スプレーガンは本体と操作部材を含み得る。操作者は、当該本体の把持部に沿って操作部材を把持及び押圧する。当該本体には流路が包囲及び設置されている。当該流路は給水部及び延伸する吐水部を有し、当該給水部と吐水部の接合箇所に制御アセンブリが設けられている。当該制御アセンブリは、当該スプレーガンが散水機能を制御可能となるよう、水流の流動を制御する。当該操作部材は、第１端と、延設される第２端を有する。当該第２端は当該本体における当該給水部と吐水部との接合箇所の外部に枢結される。当該操作部材には、第２端の枢設箇所に近接して安全スイッチが設けられており、当該安全スイッチは、当該制御アセンブリの位置決め部に接触及び接合するよう配置される。当該ロック位置とロック解除位置は、当該安全スイッチが相対的に移動して当該位置決め部に対し接離することで決定される。当該操作部材の圧縮によって当該安全スイッチは当該ロック位置となり、当該操作部材を圧縮する度に、ロック状態とロック解除状態を切り替え可能である。当該安全スイッチが当該ロック解除位置の場合には、当該操作部材が圧縮されたとしても、当該操作部材を当該ロック解除状態に維持可能である。且つ、当該安全スイッチが当該ロック位置にある場合には、当該安全スイッチが当該位置決め部に接触する。これにより、当該安全スイッチは、当該制御アセンブリを制御することで、水流の流動の開閉及び水量の大きさの段階的ロック制御を順に実施可能となる。
【０００８】
以下に、概略的な名詞を用いて本発明を記載するにあたり、ここで参照する図面は複数の付属的な図面とみなす。よって、これらの図面を比率通りに記載する必要はない。
【図面の簡単な説明】
【０００９】
【図１】図１は、本発明の安全スイッチと本体の分解図である。
【図２】図２は、本発明の安全スイッチと本体の組立図である。
【図３】図３は、本発明の安全スイッチの斜視図である。
【図４】図４は、図３を他の角度から見た斜視図である。
【図５】図５は、本発明の側面図である。
【図６】図６は、本発明の一部を拡大した断面図である。
【図７】図７は、本発明における水流開放の準備操作の実施例を示す。
【図８】図８は、本発明における水流開放操作の第１段階のロックの実施例を示す。
【図９】図９は、本発明における水流開放操作の第２段階のロックの実施例を示す。
【図１０】図１０は、本発明における水流開放操作の第３段階のロックの実施例を示す。
【図１１】図１１は、本発明におけるロック解除による水流閉止の準備操作の実施例を示す。
【図１２】図１２は、本発明における水流閉止の実施例を示す。
【図１３】図１３は、本発明の安全スイッチと位置決め部の他の実施例を示す。
【図１４】図１４は、図１３の水流閉止の実施例を示す。
【発明を実施するための形態】
【００１０】
以下に、図面を参照し、一部操作の模式的実施例についてより詳細に説明する。なお、ここで提示する模式的実施例において、本発明は施行され得る法律及び規範を満たしている。また、ここで使用される操作可能な接合とは、直接的又は間接的な接続に関するものと理解すべきである。任意の例において、前記直接的又は間接的な接続によって、機能を有する複数の部材は互いに接続可能となり、或いは、機能を有する複数の部材は操作可能に互いに連結可能となる。
【００１１】
ここで記載する一部の例示的実施例では、スプレーガンの改良設計を提供する。
【００１２】
本発明における構造の結合及び関係性の特徴を説明する図１〜図６を参照する。当該スプレーガンの制御装置は、本体１と操作部材３を含み得る。当該本体１は、操作者が当該本体１の一部に沿って把持可能な把持部１１を含む。当該把持部１１は給水端１１ａを有する。当該把持部１１には管部１２が延設されており、当該管部１２にスプレーヘッド１２１が組み付けられる。当該管部１２と当該把持部１１との接続箇所は接続端１１ｂとなっている。また、当該本体１には、流路が包囲及び設置されている。当該流路は、当該把持部１１に位置する給水部１ａと、スプレーヘッド１２１まで延伸する吐水部２ａを含む。当該給水端１１ａは給水部１ａの給水口であり、水管継手を組み付けることで、水源を給水部１ａに引き込むことが可能である。当該吐水部２ａは、スプレーヘッド１２１を経由して水を放出するために、当該スプレーヘッド１２１に接合される。前記スプレーヘッド１２１には複数の異なる形態のスプレーノズルを設置可能であり、これら複数のスプレーノズルの１つを選択して吐水することが可能である。当該給水部１ａと吐水部２ａの接合箇所には空間１４が設けられており、当該空間１４には吐水部２ａに通じる経路１５が設けられている。当該経路１５は、水流を給水部１ａから吐水部２ａに供給するための連絡経路である。また、空間１４の位置には制御アセンブリが設けられている。当該制御アセンブリは、スプレーガンの制御装置が水流の開閉及び水量の大きさを制御する機能を実行可能となるよう配置される。当該制御機能は、スプレーガンの制御装置を通過する給水部１ａから吐水部２ａまでの水の流動と関連する。
【００１３】
本実施例では、図６に示すように、制御アセンブリは、バルブステム１６とバネ１７及び位置決め部５を含み得る。当該バルブステム１６は、先端１６１と基端１６２を有する。当該バルブステム１６の先端１６１は、当該把持部１１から外部に延伸する収容溝に嵌設されており、且つ、この先端１６１は収容溝の外部に伸出している。また、当該基端１６２の近傍には拡大部１６３が設けられており、当該基端１６２は当該空間１４に挿設されている。当該拡大部１６３は当該経路１５に挿入されており、且つ、当該経路１５の口部にちょうど当接する。当該バネ１７は空間１４に設けられており、当該バルブステム１６の基端１６２が当該バネ１７に当接している。バルブステム１６はバネ１７に付勢されて、当該経路１５において往復変位が可能である。
【００１４】
当該位置決め部５は、当該把持部１１の接続端１１ｂに近接する位置に設けられている。前記位置決め部５は第１の面５ａと第２の面５ｂを有する。また、当該位置決め部５は当該安全スイッチ４の位置に対応している。当該位置決め部５の第１の面５ａには、順に配列される１つ以上の歯部が設けられている。当該歯部は、順に配列される複数の歯部としてもよい。本実施例において、前記１つ以上の歯部は、それぞれ第１歯部５１、第２歯部５２、第３歯部５３である。また、当該操作部材３は、水流操作のための制御ユニットとしての役割を果たす。当該操作部材３は、第１端３１と、延伸する第２端３２を有する。当該第２端３２の軸支点は把持部１１における接続端１１ｂの位置に存在し、当該第２端３２を支軸として圧縮又は展開するよう操作可能である。当該第２端３２における当該把持部１１の接続端１１ｂの位置と対向する方向には当接部３４が設けられており、当該当接部３４がバルブステム１６の先端１６１に当接可能である。
【００１５】
操作部材３のうち第２端３２に近接する箇所には溝３３が設けられており、当該溝３３に安全スイッチ４が組み付けられる。当該安全スイッチ４は、水流の開閉及び水量の大きさの段階的ロックを操作するためのユニットとしての役割を果たす。図３及び図４に示すように、当該安全スイッチ４には押圧部４ａが設けられている。当該押圧部４ａには支軸部４５が延設されており、当該支軸部４５が当該操作部材３の溝３３の両側に枢結される。当該押圧部４ａは、支軸部４５を中心線４５ａとして上端４１と下端４２に分割される。また、当該支軸４５にはロック部４３が延設されている。当該ロック部４３は延伸しており、弾性を有するとともに、基端にフック部４４が下方に向かって形成されている。当該フック部４４は、当該位置決め部５における選択された歯部の１つと接合可能である。当該安全スイッチ４のフック部４４が当該位置決め部５における選択された歯部と接合する際、或いは、当該歯部から離脱する際には、操作者が指で当該押圧部４ａの上端４１又は下端４２を押圧する。当該押圧部４ａの可動経路は、下方且つ内側、或いは、上方且つ内側となり、基本的には、両端から延伸する上端４１と下端４２が、支軸部４５を中心軸としてシーソーと類似した移動形態をなす。
【００１６】
よって、図５及び図６の実施例において、操作部材３の第２端３２は、当該把持部１１の接続端１１ｂの位置に枢結されている。操作部材３が圧縮位置まで枢動すると、操作部材３の当接部３４が当該バルブステム１６の先端１６１に接触可能となって、バルブステム１６を押動する。そして、バルブステム１６の位置が移動することで、水の流動停止、又は水の流動開放、又は水量の大きさを制御する段階的ロックが可能となる。
【００１７】
次に、水流の開放操作、又は水流の閉止操作、又は水量の大きさ制御のためのロック操作の実施を示す図７〜図１２を参照する。
【００１８】
図７は、水流開放準備のためのロック動作を示す。操作者は、人差し指６で当該安全スイッチ４の上端４１の位置を自然に押圧する。
【００１９】
次に、図８は第１段階の水量ロックの実施を示す。操作者は、人差し指６で当該安全スイッチ４の上端４１の位置（図面の矢印で示す方向及び位置）を自然に押圧する。このとき、ロック部４３が下方に向かって当該位置決め部５に圧接されるのと同期して、指７で操作部材３を押圧し、把持部１１に向かって圧縮させる。すると、これと同時に、当接部３４が当該バルブステム１６の先端１６１に接触して内側へ押動するよう案内する。このとき、バルブステム１６の拡大部１６３が当該経路１５の口縁からわずかに離脱することで、当該空間１４における吐水部２ａに通じる出口がわずかに開放される。これにより、給水部１ａからの水が吐水部２ａへと案内され、最後にスプレーヘッド１２１から放出される。また、当該ロック部４３がスライドし、当該フック部４４が当該第１歯部５１に噛合すると、当該操作部材３がロックされて第１段階のわずかな吐水量にロックされる。
【００２０】
次に、図９は第２段階の水量ロックの実施を示す。操作者は、人差し指６で当該安全スイッチ４の上端４１の位置（図面の矢印で示す方向及び位置）を自然に押圧する。このとき、ロック部４３が下方に向かって当該位置決め部５に圧接されるのと同期して、指７で操作部材を押圧し、把持部１１に向かって圧縮させる。すると、これと同時に、当接部３４が当該バルブステム１６の先端１６１に接触して内側へ押動するよう案内する。このとき、バルブステム１６の拡大部１６３が当該経路１５の口縁からわずかに離脱することで、当該空間１４における吐水部２ａに通じる出口がやや大きく開放される。これにより、給水部１ａからの水が吐水部２ａへと案内され、最後にスプレーヘッド１２１から放出される。また、当該ロック部４３がスライドし、当該フック部４４が当該第２歯部５２に噛合すると、当該操作部材３がロックされて第２段階のやや大きな吐水量にロックされる。
【００２１】
なお、当該歯部は少なくとも１つの歯部とし、当該フック部４４は少なくとも１つとする。
【００２２】
次に、図１０は第３段階の水量ロックの実施を示す。操作者は、人差し指６で当該安全スイッチ４の上端４１の位置（図面の矢印で示す方向及び位置）を自然に押圧する。このとき、ロック部４３が下方に向かって当該位置決め部５に圧接されるのと同期して、指７で操作部材を押圧し、把持部１１に向かって圧縮させる。すると、これと同時に、当接部３４が当該バルブステム１６の先端１６１に接触して内側へ押動するよう案内する。このとき、バルブステム１６の拡大部１６３が当該経路１５の口縁からわずかに離脱することで、当該空間１４における吐水部２ａに通じる出口が最大限に開放される。これにより、給水部１ａからの水が吐水部２ａへと案内され、最後にスプレーヘッド１２１から放出される。また、当該ロック部４３がスライドし、当該フック部４４が当該第３歯部５３に噛合すると、当該操作部材３がロックされて第３段階の最大吐水量にロックされる。
【００２３】
続いて、図１１は、水の閉止準備のためのロック操作の実施を示しており、図１２は水流を閉止した状態を示している。操作者が指６で安全スイッチ４の下端４２を押圧すると、ロック部４３が上方に向かって当該位置決め部５から離脱する。すると、これと同時に、当接部３４が外側に向かうことで当該バルブステム１６の基端１６２がバネ１７に付勢され、バルブステム１６が外側へと移動する。このとき、バルブステム１６の拡大部１６３が当該経路１５の口縁を封止することで、当該空間１４における吐水部２ａに通じる出口が閉止される。これにより、給水部１ａから吐水部２ａへの水の流動が停止する。
【００２４】
上記の実施において、当該安全スイッチ４のロック部４３の基端には、下方に向かうフック部４４が形成されており、位置決め部５の第１の面５ａには１つ以上の歯部が設けられている。しかし、図１３及び図１４に示すような別の構造形式の実施例としてもよい。この実施例では、当該安全スイッチ４のロック部４３の基端にフック部４４が上方に向かって形成されている。また、当該位置決め部５は第１の面５ａと第２の面５ｂを有し、第２の面５ｂに順に配列される１つ以上の歯部が設けられている。当該１つ以上の歯部は当該フック部４４と接合可能である。また、当該位置決め部５の設置位置は当該安全スイッチ４のロック部４３の上方とする。当該１つ以上の歯部は、それぞれ第１歯部５１、第２歯部５２である。続いて、本実施例における水流開放状態を示す図１３を参照する。水量の段階的ロックを実施操作の一例とすると、操作者は、人差し指６で当該安全スイッチ４の下端４２の位置（図面の矢印で示す方向及び位置）を自然に押圧する。このとき、ロック部４３のフック部４４が上方に向かって当該位置決め部５の第２歯部５２に当接するのと同期して、指７で操作部材３を押圧し、把持部１１に向かって圧縮させる。すると、これと同時に、当接部３４が当該バルブステム１６の先端１６１に接触して内側へ押動するよう案内する。このとき、バルブステム１６の拡大部１６３が当該経路１５の口縁からわずかに離脱することで、当該空間１４における吐水部２ａに通じる出口が最大限に開放される。これにより、給水部１ａからの水が吐水部２ａへと案内され、最後にスプレーヘッド１２１から放出される。また、当該ロック部４３がスライドし、当該フック部４４が当該第２歯部５２に噛合すると、当該操作部材３がロックされて最大吐水量にロックされる。このほか、上記のような操作制御によって、ロック部４３のフック部４４が上方に向かって当該位置決め部５の第１歯部５１に当接した場合には、最小吐水量にロックされる。
【００２５】
次に、図１４は水の閉止時の実施操作を示す。操作者が人差し指６で当該安全スイッチ４の上端４１を押圧し、下方且つ内側へ向かわせると、ロック部４３が下方へと向かい、当該フック部４４が当該位置決め部５の歯部から離脱する。すると、これと同時に、バルブステム１６がロックの押圧力を喪失することで、当該バルブステム１６の基端１６２がバネ１７により付勢される。その結果、バルブステム１６が外側へと移動すると同時に、当接部３４を押動して操作部材３を外側へと展開させる。このとき、バルブステム１６の拡大部１６３が当該経路１５の口縁を封止することで、当該空間１４における吐水部２ａに通じる出口が閉止される。これにより、給水部１ａから吐水部２ａへの水の流動が停止する。
【００２６】
以上述べたように、本発明の構造は、水流の開閉及び水量の大きさの制御という複数の機能を実現可能である。本発明は、開示した特定の実施例に限らず、これらの修正やその他の実施例もまた添付の特許請求の範囲で規定する範囲に含まれるものと解釈される。
【００２７】
また、上記の説明内容及び関連の図面については、部材及び／又は機能の組み合わせの脈絡の中で実施例として記載したが、異なる部材及び／又は機能の組み合わせについても好ましい実施例によって提供可能であり、添付の特許請求の範囲で規定する範囲を逸脱することもないと解釈される。この点については、例えば、異なる部材及び／又は機能の組み合わせは、上記で詳細に記載した実施例と比較しても十分に考慮されたものであり、添付の特許請求の範囲に提示されている可能性がある。また、ここで記載した利点、優位性又は課題を解決するための方案の例については、これらの利点、優位性及び／又は解決のための方案は任意の例示的実施例に応用可能であると解釈されるが、全ての例示的実施例に応用されるとは限らない。そのため、ここで記載したあらゆる利点、優位性又は解決のための方案は、全ての実施例又はここで要求した上記実施例に不可欠、必要又は必須であるとみなすべきではない。また、ここでは特定の名詞を用いているが、これらの名詞は一般的且つ記載の便宜上の意味で用いたにすぎず、本発明を制限することを意図していない。
【符号の説明】
【００２８】
１      本体
１２    管部
３      操作部材
１１    把持部
１１ａ  給水端
１１ｂ  接続端
１２１  スプレーヘッド
１ａ    給水部
２ａ    吐水部
１４    空間
１５    経路
１６    バルブステム
１７    バネ
５      位置決め部
１６１  先端
１６２  基端
１６３  拡大部
５ａ    第１の面
５ｂ    第２の面
４      安全スイッチ
５１    第１歯部
５２    第２歯部
５３    第３歯部
３１    第１端
３２    第２端
３４    当接部
３３    溝
４ａ    押圧部
４５    支軸部
４５ａ  中心線
４１    上端
４２    下端
４３    ロック部
４４    フック部
６      人差し指
７      指
【要約】      （修正有）【課題】スプレーガンの制御装置に関する。【解決手段】スプレーガンの制御装置であって、本体１及び操作部材３を含む。本体には、本体に沿う把持部１１と、延伸する管部１２が設けられている。管部にはスプレーヘッド１２１が組み付けられる。本体には制御アセンブリが包囲及び設置されており、制御アセンブリは、スプレーガンを通過する水流の開閉及び水量の大きさの段階的操作に関する制御機能をスプレーガンが実行可能となるよう配置されている。操作部材は、本体の把持部と管部との接続位置に枢結可能である。操作部材には安全スイッチ４が設けられており、安全スイッチが制御アセンブリと接合する。安全スイッチは、操作部材に対して移動することで、ロック位置とロック解除位置を提供可能であるとともに、水流量の大きさの制御を可能とする。【選択図】図１【図１】
0006981691.tif 000002
【図２】
0006981691.tif 000003
【図３】
0006981691.tif 000004
【図４】
0006981691.tif 000005
【図５】
0006981691.tif 000006
【図６】
0006981691.tif 000007
【図７】
0006981691.tif 000008
【図８】
0006981691.tif 000009
【図９】
0006981691.tif 000010
【図１０】
0006981691.tif 000011
【図１１】
0006981691.tif 000012
【図１２】
0006981691.tif 000013
【図１３】
0006981691.tif 000014
【図１４】
0006981691.tif 000015